(57)【要約】【課題】縫い針保持体の回転を規制しながら上下方向における固定位置を調整し、かつ縫い針保持体の上下方向の移動を規制しながら回転方向における固定位置を調整することにより、縫い針の配置向きや配置高さ等の位置を容易かつ確実に調整する。【解決手段】縫い針保持体３は、縫い針２が装着される針留め５と、針留め５が装着される針棒６とを備え、縫い針保持体３は、針棒６の上下方向における固定位置を調整する上下位置調整機構と、針留め５の回転方向における固定位置を調整する回転位置調整機構とを有し、上下位置調整機構は、針棒６の左右方向の回転を規制する回転動規制手段を備え、回転方向調整機構は、針留め５の上下動を規制する上下動規制手段を備える。【選択図】      図２
2008132006.tif 000002
【特許請求の範囲】
【請求項１】
縫い針が装着される針留めと、前記針留めを下端部に着脱可能に固定して装着された針棒と、前記針棒を保持する針棒抱きとを有する縫い針保持体を備え、前記縫い針保持体は、その上下方向における固定位置を調整する上下位置調整機構と、その左右の回転方向における固定位置を調整する回転位置調整機構とを有するミシンにおいて、
前記上下位置調整機構は、前記縫い針保持体の左右方向の回転を規制する回転動規制手段を備えており、
前記回転動規制手段は、前記針棒の周面に上下方向に延びて形成された嵌合溝と、前記針棒抱きに配設された弾性部材と、前記弾性部材の一端部に取り付けられ、前記針棒抱きにおける前記針棒の保持状態において前記針棒の周面に臨む位置に配設された回転動規制体とを備えており、前記回転動規制体を前記嵌合溝に嵌合させ、前記弾性部材によって前記回転動規制体を前記嵌合溝に押圧させることにより、前記針棒の左右方向の回転を規制し、
前記回転位置調整機構は、前記縫い針保持体の上下動を規制する上下動規制手段を備えており、
前記上下動規制手段は、前記針留めのうち中空状の前記針棒の中空部に挿入される挿入軸に形成された突起と、この突起が嵌合する寸法のスリットを備え、前記スリットは、前記針棒の下端縁を基端とする導入部およびこの導入部に連設され前記回転方向に延びる規制部を有し、前記挿入軸を前記針棒の前記中空部に挿入する際に、前記突起を前記スリットの前記導入部を介して前記規制部に位置させることにより、前記針留めの上下動を規制することを特徴とするミシン。
【発明の詳細な説明】
【技術分野】
【０００１】
本発明はミシンに係り、特に、縫い針の向きや高さ等の位置を調整するために針棒および針留めの固定位置を調整する位置調整機構を備えたミシンに関する。
【背景技術】
【０００２】
従来のミシンにおいては、縫い針が装着された針留めが、針棒抱きに保持された針棒の下端部に着脱可能に固定して装着されており、針棒は、針棒抱きを介して駆動装置に接続され、この駆動装置の駆動によって上下方向への往復動を行うようになっている。また、縫い針は、ミシンヘッドに取り付けられた針板の針落ち孔に対向して配置されるようになっており、針板の下方には、縫い針の往復動に同期して左右方向に揺動するルーパが配置されている。
【０００３】
そして、上糸が挿通された縫い針を、針棒を介して下方向に移動させて、針板上に配置された生地を介して針落ち孔に挿通させた後、縫い針を上方向に移動させて縫い糸によりループを形成するとともに、ルーパを揺動させながらルーパに挿通された下糸により前記ループをすくうことにより縫製作業を行うようになっている。
【０００４】
このようなミシンにおいては、ルーパと縫い針との位置がずれてしまうと、下糸により上糸のループをすくうことができず、縫製不良が生じるおそれがある。このため、従来より、縫い針が対応する針落ち孔の中央に正確に挿入されるように、縫い針の配置向きや配置高さ等の位置を調整する機構が考えられていた。
【０００５】
この縫い針の位置を調整する機構として、例えば、特許文献１には、針留めが針棒の先端部において所定の位置に位置決めされ、針棒が円周方向に回転してしまうのを防止するとともに、針棒の軸線方向における固定位置の調整が可能な回り止め手段を備えたミシンが記載されている。このミシンの回り止め手段によれば、針留めが所定位置に位置決めされることにより、針留めの円周方向における固定位置を決定するとともに、軸線方向における固定位置の調整が可能である。
【０００６】
また、従来の他のミシンでは、針棒抱きによって針棒の軸線方向における固定位置を調整することにより、縫い針の配置されている高さ等を調整するとともに、針棒の下端部において針留めの針棒における円周方向における固定位置を調整することにより、縫い針の配置されている向きを調整することも考えられている。
【０００７】
【特許文献１】特開２００３−０３８８８１号公報
【発明の開示】
【発明が解決しようとする課題】
【０００８】
しかし、前者の従来のミシンによれば、針留めが所定位置に位置決めされて針棒に固定されるので、縫い針の種類や縫い針における針留めへの装着位置によって、縫い針の向きの微妙な固定位置を調整する必要がある場合には、針棒抱きによって針棒の円周方向における固定位置を調整することにより縫い針の配置向きの調整を行っていた。ここで、針棒の円周方向における針棒の固定位置を調整する際、針棒は同時に軸線方向にも移動してしまうので、針棒の軸線方向における固定位置がずれてしまうことがあった。
【０００９】
また、後者の従来のミシンによれば、針棒抱きによって針棒の軸線方向における固定位置を調整するときに、針棒は同時に円周方向にも回転してしまうので、針棒の円周方向における固定位置がずれてしまうことがあった。
【００１０】
このため、前述のような従来の各ミシンによって、針棒の円周方向および軸線方向における固定位置の調整を同時に行わなければならず、微調整するのは困難であり、ひいては、縫い針の向きや高さ等の位置を微調整するのが困難であるという問題を有していた。さらに、例えば、後者の従来のミシンによって、先に針棒抱きにおいて針棒の軸線方向における固定位置を調整したにもかかわらず、その後針棒の下端部において針留めにおける針棒の円周方向における固定位置を調整する際に、針棒の軸線方向における針留めの固定位置がずれてしまうと、再度調整し直さなければならず、縫い針の交換作業の効率が低下してしまうという問題があった。
【００１１】
本発明は、これらの点に鑑みてなされたものであり、縫い針保持体の回転を規制しながら上下方向における固定位置を調整し、かつ縫い針保持体の上下方向の移動を規制しながら回転方向における固定位置を調整することにより、縫い針の向きや高さ等の位置を容易かつ確実に調整することができるミシンを提供することを目的とする。
【課題を解決するための手段】
【００１２】
前記目的を達成するため、本発明に係るミシンの特徴は、縫い針が装着される針留めと、前記針留めを下端部に着脱可能に固定して装着された針棒と、前記針棒を保持する針棒抱きとを有する縫い針保持体を備え、前記縫い針保持体は、その上下方向における固定位置を調整する上下位置調整機構と、その左右の回転方向における固定位置を調整する回転位置調整機構とを有するミシンにおいて、前記上下位置調整機構は、前記縫い針保持体の左右方向の回転を規制する回転動規制手段を備えており、前記回転動規制手段は、前記針棒の周面に上下方向に延びて形成された嵌合溝と、前記針棒抱きに配設された弾性部材と、前記弾性部材の一端部に取り付けられ、前記針棒抱きにおける前記針棒の保持状態において前記針棒の周面に臨む位置に配設された回転動規制体とを備えており、前記回転動規制体を前記嵌合溝に嵌合させ、前記弾性部材によって前記回転動規制体を前記嵌合溝に押圧させることにより、前記針棒の左右方向の回転を規制し、前記回転位置調整機構は、前記縫い針保持体の上下動を規制する上下動規制手段を備えており、前記上下動規制手段は、前記針留めのうち中空状の前記針棒の中空部に挿入される挿入軸に形成された突起と、この突起が嵌合する寸法のスリットを備え、前記スリットは、前記針棒の下端縁を基端とする導入部およびこの導入部に連設され前記回転方向に延びる規制部を有し、前記挿入軸を前記針棒の前記中空部に挿入する際に、前記突起を前記スリットの前記導入部を介して前記規制部に位置させることにより、前記針留めの上下動を規制する点にある。
【００１３】
この本発明に記載のミシンによれば、縫い針保持体の上下方向における固定位置を調整する際に、針棒の回転が規制されるので、針棒の回転方向における固定位置をずらすことなく縫い針保持体の上下方向における固定位置を調整することができる。これとともに、縫い針保持体の回転方向における固定位置を調整する際に、針留めの上下動が規制されるので、針留めの上下方向における固定位置をずらすことなく縫い針保持体の回転方向における固定位置を調整することができる。
【００１４】
また、針棒抱きに設けられた回転動規制体を針棒に形成された嵌合溝に嵌合させ、弾性部材によって回転動規制体を嵌合溝に押圧させることにより、針棒の円周方向の回転を規制することができるので、針棒の上下方向における固定位置を調整する際に、針棒が左右方向に回転してしまうのを確実に防止することができる。
【００１５】
さらに、針留めの挿入軸を針棒の中空部に挿入する際に、突起をスリットの導入部を介して規制部に位置させることにより、針留めの上下方向の移動を規制することができるので、針留めの回転方向における固定位置を調整する際に、針留めが上下動してしまうのを確実に防止することができる。
【発明の効果】
【００１６】
以上述べたように、本発明に係るミシンによれば、縫い針保持体の上下方向における固定位置を調整する際に、左右の回転方向における固定位置をずらすことなく調整することができるとともに、縫い針保持体の回転方向における固定位置を調整する際に、上下方向における固定位置をずらすことなく調整することができる。これにより、縫い針の向きや高さ等の位置を容易かつ確実に調整することができる。
【発明を実施するための最良の形態】
【００１７】
以下、本発明に係るミシンの一実施形態を図１から図５を参照して説明する。
【００１８】
図１は、本実施形態に係るミシンの要部を示す概略斜視図、図２は、図１のミシンにおける針留めが針棒に装着され、針棒が針棒抱きに装着された状態を示す概略斜視図である。
【００１９】
図１および図２に示すように、本実施形態に係るミシン１は、複数（本実施形態においては３本）の縫い針２が、縫い針保持体３に保持されている。縫い針保持体３は、各縫い針２が並列配置して装着された針留め５と、ミシン１に対して鉛直に配置され、針留め５が下端部に着脱可能に固定して装着された針棒６と、針棒６を保持する針棒抱き７とを有する。
【００２０】
この針留め５と針棒６との装着部分には、縫い針保持体３の左右の回転方向、すなわち針棒６の円周方向における針留め５の固定位置を調整する回転方向調整機構が形成されており、この回転方向調整機構は、上下方向、すなわち針棒６の軸線方向における針留め５の上下動を規制する上下動規制手段を備えている。
【００２１】
図３に示すように、針留め５は、各縫い針２を保持する針留め本体９と、針留め本体９の上部に形成される挿入軸１０とを有し、挿入軸１０の周面には、突起１１が形成されている。
【００２２】
また、図４に示すように針棒６の下端部分には、針留め５の挿入軸１０が挿入される中空部１４が形成されており、針棒６の下端部分には、針留め５の挿入軸１０に形成された突起１１に嵌合する幅寸法のスリット１２が形成されている。スリット１２は、針棒６の下端縁を基端として針棒６の軸線方向（上下方向）に延びる導入部１２ａと、導入部１２ａの端部から針棒６の円周方向（左右の回転方向）に延びる規制部１２ｂとを有するＬ字型に形成されている。なお、本実施形態においては、スリット１２の形状はＬ字型に形成されているが、これに限定されるものではなく、針棒６の下端縁を基端とする導入部１２ａと、導入部１２ａに連設され針棒６の円周方向に延びる規制部１２ｂとを備えた形状であればよく、例えば、Ｔ字型等に形成してもよい。
【００２３】
針棒６の下端部であって針留め５の挿入軸１０が挿入されている部分は、針留め抱き１３の図示しない挿通孔に挿通されており、固定用ねじ１５によって針棒６および針留め５が針留め抱き１３に固定されることにより、針留め５は、針棒６に固定して装着されるようになっている。
【００２４】
この針留め５を針棒６に装着する際、挿入軸１０の突起１１をスリット１２の導入部１２ａに位置させるように挿入軸１０を針棒６の中空部１４に挿入した後、突起１１をスリット１２の規制部１２ｂに沿って移動させることにより、針留め５を左右方向に回転させる。これにより、針留め５の回転方向における固定位置を調整する回転位置調整機構となる。また、突起１１をスリット１２の導入部１２ａを介して規制部１２ｂに位置させることにより、スリット１２の規制部１２ｂに突起１１を嵌合させて、針留め５が上下動してしまうのを規制する上下動規制手段となる。
【００２５】
針棒６は、ミシンアーム１６の内部において針棒抱き７に着脱可能に固定して装着され、ミシンアーム１６の下面から突出して配置されており、針棒抱き７を介して針棒６を上下方向に往復動させるための図示しない駆動装置に接続されている。
【００２６】
この針棒６と針棒抱き７との装着部分には、針棒６の上下方向における固定位置を調整する上下位置調整機構が形成されており、この上下位置調整機構は、針棒６の左右方向の回転を規制する回転動規制手段を備えている。
【００２７】
図５に示すように、針棒６の軸線方向における略中央部分の周面には、断面形状がＶ字状とされ、軸線方向に延びる嵌合溝１８が形成されている。
【００２８】
針棒抱き７は、針棒抱き本体１９と、針棒抱き本体１９に連設される連結部２０とを有しており、針棒抱き本体１９には、針棒６を挿通させる挿通孔２１が形成されているとともに、連結部２０の内部には、挿通孔２１に連設される中空部２２が形成されている。中空部２２には、弾性部材としての押圧ばね２４が配設されており、押圧ばね２４は、一端部が挿通孔２１に臨むように配置されている。押圧ばね２４の一端部には、回転動規制体としての球状の規制用ボール２５が取り付けられており、規制用ボール２５は、針棒抱き７の挿通孔２１に針棒６が挿通された状態において、針棒６の周面に臨む位置に配置されている。
【００２９】
針棒６は、針棒抱き７の挿通孔２１に挿通され、図示しない固定用ねじによって針棒抱き７に固定されることにより、ミシンアーム１６の内部において固定して装着されるようになっている。
【００３０】
この針棒６を針棒抱き７に装着する際、針棒６を針棒抱き７の挿通孔２１に挿通させ、適当な位置において、固定用ねじによって針棒６を針棒抱き７に固定することにより、ミシンアーム１６の内部において針棒６の上下方向における固定位置を調整する上下位置調整機構となる。また、針棒６を針棒抱き７の挿通孔２１に挿通させる際に、規制用ボール２５を嵌合溝１８に嵌合させ、押圧ばね２４により規制用ボール２５を嵌合溝１８に押圧させることにより、針棒６の左右方向の回転を規制する回転動規制手段となる。
【００３１】
各縫い針２は、各縫い針２の先端部がミシンヘッド２７の上面に取り付けられた針板２８に対向して配置されるようになっており、針板２８における各縫い針２の先端部に対向する位置には各縫い針２の先端部分が挿通される針落ち孔２９が形成されている。ミシンヘッド２７の内部であって針板２８の下方には、各縫い針２の上下方向の往復動に同期して左右方向に揺動する図示しないルーパが配設されている。このミシン１は、上糸が挿通された縫い針２の先端部分を、針棒６を介して下方向に移動させて、針板２８上に配置された生地を介して針落ち孔２９に挿通させた後、縫い針２を上方向に移動させて縫い糸によりループを形成するとともに、ルーパを左右に揺動させながらルーパに挿通された下糸により前記ループをすくうことにより縫製作業を行うようになっている。
【００３２】
次に、本実施形態の作用について説明する。
【００３３】
本実施形態によれば、針棒６の上下方向における固定位置を調整する上下位置調整機構は、針棒６の左右方向の回転を規制する回転動規制手段を備えているので、針棒６の上下方向における固定位置を調整する際に、針棒６の回転が規制され、針棒６の回転方向における固定位置をずらすことなく針棒６の上下方向におけるの固定位置を調整することができる。これとともに、針留め５の回転方向における固定位置を調整する回転位置調整機構は、針留め５の上下動を規制する上下動規制手段を備えているので、針留め５の回転方向におけるの固定位置を調整する際に、針留め５の上下動が規制され、針留め５の上下方向における固定位置をずらすことなく針留め５の回転方向における固定位置を調整することができる。
【００３４】
したがって、針棒６の回転方向における固定位置をずらすことなく針棒６の上下方向における固定位置を調整するとともに、針留め５の上下方向における固定位置をずらすことなく針留め５の回転方向における固定位置を調整することにより、縫い針２の配置向きや配置高さ等の位置を容易かつ確実に調整することができる。また、縫い針２を交換する際に、容易かつ確実に縫い針２の位置調整を行うことができ、縫い針２の交換作業における時間の短縮化を図ることができる。
【００３５】
なお、本発明は前記実施形態に限定されるものではなく、必要に応じて種々変更することが可能である。
【００３６】
例えば、上下位置調整機構および回転動規制手段、回転位置調整機構および上下動規制手段の各構成や形成位置は、本実施形態に限定されるものではなく、回転動規制手段を備えた上下位置調整機構を、針留め５および針棒６の装着部分に形成したり、さらには、上下動規制手段を備えた回転位置調整機構を、針棒６および針棒抱き７の装着部分に形成してもよい。
【図面の簡単な説明】
【００３７】
【図１】本実施形態に係るミシンの要部を示す概略斜視図
【図２】図１のミシンにおける針留めが針棒に装着され、針棒が針棒抱きに装着された状態を示す概略斜視図
【図３】図１のミシンに備えられた針留めを示す概略斜視図
【図４】図１のミシンに備えられた針棒の下端部分を示す概略斜視図
【図５】図１のミシンに備えられた針棒抱きを示す概略断面図
【符号の説明】
【００３８】
１  ミシン
２  縫い針
３  縫い針保持体
５  針留め
６  針棒
７  針棒抱き
９  針留め本体
１０  挿入軸
１１  突起
１２  スリット
１２ａ  導入部
１２ｂ  規制部
１４  中空部
１６  ミシンアーム
１８  嵌合溝
１９  針棒抱き本体
２０  連結部
２１  挿通孔
２２  中空部
２４  押圧ばね
２５  規制用ボール
【図１】
2008132006.tif 000003
【図２】
2008132006.tif 000004
【図３】
2008132006.tif 000005
【図４】
2008132006.tif 000006
【図５】
2008132006.tif 000007